(57)【要約】【課題】  板状の断熱材の厚みに関係なく使用でき、床板の間の隙間の発生を防止でき、ヒートブリッジの発生を抑え断熱性能を確保して所定の位置に簡単に取り付けできる断熱材固定具およびその取付方法を提供すること。【解決手段】  軸組５の間に板状断熱材６を固定する断熱材固定具１０で、軸組５の側面に密着させる垂直片１１と、この垂直片１１の下端に延設され板状断熱材６の厚み方向中間に差し込まれる差込み片１２と、垂直片１１の上端に延設され軸組５の上面に載置支持される上部片１３とを備えて略Ｚ字状に構成する。  そして、差込み片１２を板状断熱材６の厚み方向中間に差し込んで取り付けるようにしている。【選択図】  図２
2014005588.tif 000002
【特許請求の範囲】
【請求項１】
軸組間に板状断熱材を固定する断熱材固定具であって、
軸組側面に密着させる垂直片と、この垂直片の下端に延設され板状断熱材の厚み方向中間に差し込まれる差込み片と、前記垂直片の上端に延設され軸組上面に載置支持される上部片とを備えて略Ｚ字状に構成したことを特徴とする断熱材固定具。
【請求項２】
前記垂直片の長さを前記差込み片の長さより短く形成して板状断熱材を軸組上面よりこれら長さの差分だけ突出可能に差し込み位置を定める定規機能を付加して構成したことを特徴とする請求項１記載の断熱材固定具。
【請求項３】
前記差込み片の先端部を尖らせて構成したことを特徴とする請求項１または２記載の断熱材固定具。
【請求項４】
前記垂直片に対して前記上部片を鋭角に延設して構成したことを特徴とする請求項１〜３のいずれかに記載の断熱材固定具。
【請求項５】
前記請求項１〜４のいずれかに記載の断熱材固定具の垂直片を板状断熱材の上隅上面に当てるとともに差込み片を上隅側面に当てた後、そのまま差込み片の先端を軸に回転させて当該差込み片を位置決めして板状断熱材に差し込むようにすることを特徴とする断熱材固定具の取付方法。
【発明の詳細な説明】
【技術分野】
【０００１】
本発明は断熱材固定具およびその取付方法に関し、板状の断熱材を大引きや根太の間などの軸組に固定するための固定具で、断熱材の厚みに関係なく使用でき、断熱性能を確保して所定の位置に簡単に取り付けることができるようにしたものである。
【背景技術】
【０００２】
建物の居住性の向上や省エネのため断熱材を用いた高断熱化が図られており、壁面や屋根などに加え、床面に対しても板状断熱材を敷設する床断熱が行われている。
これまでの床断熱は、大引き間や根太間など軸組間にスチレンボード、ウレタンボード、グラスウールボード、ロックウールボードなどの板状の断熱材を、金具を使用して固定することが行われており、種々の金具が提案されている。
【０００３】
例えば特許文献１に開示されている断熱支持金具１では、図６に示すように、垂直板部２と下方水平板部３、３とが上方水平板部４により連結されて略コ字状に形成されており、垂直板部２と下方水平板部３との隅角部に補強部となるリブ状突起が点在するように形成してある。そして、根太５などに被せるように装着して上方水平板部４を根太５の上面に、垂直板部２をそれぞれ根太５の側面に密着するようにし、両側の下方水平板部３，３上に板状断熱材６を敷設して取り付けるようにする。
また、特許文献２に開示されている床断熱構造の受け具７では、図７に示すように、側面下向きコ字形をなして根太５上に跨り被せられる根太取付部８と、根太取付部８の両脚部下端から斜め上方に突き出した支持片９，９とから構成され、支持片９は弾性的に下方に屈曲可能な板ばね状に構成されている。そして、施工に際しては、受け具７を根太５上に根太取付部８を被せ、支持片９を根太５間に突出させた状態で取り付け、断熱材６を根太５間に嵌め込むことで、支持片９に断熱材６の下面を当接させて支持させるようにする。
【先行技術文献】
【特許文献】
【０００４】
【特許文献１】特開２００９−３０４０６ 号公報
【特許文献２】特開平６−５７９３２号公報
【発明の概要】
【発明が解決しようとする課題】
【０００５】
ところが、特許文献１の断熱支持金具１では、垂直板部２の下端の下方水平板部３の上面で板状断熱材６を支持する構造であるため、断熱材６の厚みごとに垂直板部２の寸法を変えた金具１を用意しなければならず、加工設備や在庫管理が煩雑になるという問題がある。
また、断熱材６の厚みに寸法公差があり、断熱材６の厚みが薄い場合には、床板との間に隙間が生じ、断熱性能が低下するという問題もある。
一方、特許文献２の受け具７では、支持片９が板ばね状とされて屈曲可能としてあることから、複数の断熱材６の厚みに対応できるものの、受け具７による断熱材６の支持が支持片９の先端のわずかな接触部分だけであり、支持片９の先端が断熱材６にめり込み易く、このため床板と断熱材６の間に隙間が生じ、断熱性能が低下するという問題もある。
さらに、断熱支持金具１や受け具７のいずれの場合にも断熱材６の厚み方向に金具１や受け具７が貫通して配置されることから、この貫通部分を介して熱伝導などが生じるヒートブリッジ（熱橋）による断熱性能の低下を招くという問題もある。
【０００６】
本発明は、上記従来技術の問題点を解決するためになされたもので、板状の断熱材の厚みに関係なく使用でき、床板の間の隙間の発生を防止できるとともに、ヒートブリッジの発生を抑え断熱性能を確保して所定の位置に簡単に取り付けることができる断熱材固定具およびその取付方法を提供しようとするものである。
【課題を解決するための手段】
【０００７】
上記の問題点を解決するため本発明の請求項1記載の断熱材固定具は、軸組間に板状断熱材を固定する断熱材固定具であって、
軸組側面に密着させる垂直片と、この垂直片の下端に延設され板状断熱材の厚み方向中間に差し込まれる差込み片と、前記垂直片の上端に延設され軸組上面に載置支持される上部片とを備えて略Ｚ字状に構成したことを特徴とするものである。
【０００８】
本発明の請求項２記載の断熱材固定具は、請求項１記載の構成に加え、前記垂直片の長さを前記差込み片の長さより短く形成して板状断熱材を軸組上面よりこれら長さの差分だけ突出可能に差し込み位置を定める定規機能を付加して構成したことを特徴とするものである。
【０００９】
本発明の請求項３記載の断熱材固定具は、請求項１または２記載の構成に加え、前記差込み片の先端部を尖らせて構成したことを特徴とするものである。
【００１０】
本発明の請求項４記載の断熱材固定具は、請求項１〜３のいずれかに記載の構成に加え、前記垂直片に対して前記上部片を鋭角に延設して構成したことを特徴とするものである。
【００１１】
本発明の請求項５記載の断熱材固定具の取付方法は、前記請求項１〜４のいずれかに記載の断熱材固定具の垂直片を板状断熱材の上隅上面に当てるとともに差込み片を上隅側面に当てた後、そのまま差込み片の先端を軸に回転させて当該差込み片を位置決めして板状断熱材に差し込むようにすることを特徴とするものである。
【発明の効果】
【００１２】
本発明の請求項1記載の断熱材固定具によれば、軸組間に板状断熱材を固定する断熱材固定具で、軸組側面に密着させる垂直片と、この垂直片の下端に延設され板状断熱材の厚み方向中間に差し込まれる差込み片と、前記垂直片の上端に延設され軸組上面に載置支持される上部片とを備えて略Ｚ字状に構成したので、差込み片を板状断熱材の厚み方向中間に差し込んで支持することができ、断熱材の厚さにかかわらず１種類の固定具で済み、差込み片の全面積で断熱材を支持することで、断熱材を確実に支持することができるとともに、固定具が断熱材の厚み方向に貫通せず、中間部までであり、ヒートブリッジの発生もなく高い断熱性能を確保することができる。
【００１３】
本発明の請求項２記載の断熱材固定具によれば、前記垂直片の長さを前記差込み片の長さより短く形成して板状断熱材を軸組上面よりこれら長さの差分だけ突出可能に差し込み位置を定める定規機能を付加して構成したので、断熱材の厚み方向に差込み片を当ててその先端位置で差し込むようにすることで、垂直片との長さの差分だけ断熱材を軸組表面から突き出す状態にでき、固定具の取り付けのために墨出しの必要がなく、簡単に所定の位置に固定具を取り付けることができるとともに、断熱材の厚みに公差があっても床板と断熱材との隙間を無くして断熱性能を確保することができる。
【００１４】
本発明の請求項３記載の断熱材固定具によれば、前記差込み片の先端部を尖らせて構成したので、尖った先端部によって固定具を簡単に断熱材に差し込むことができ、取り付けが簡単にできる。
【００１５】
本発明の請求項４記載の断熱材固定具によれば、前記垂直片に対して前記上部片を鋭角に延設して構成したので、垂直片に対して鋭角の上部片によって断熱材を軸組から突き出した状態にでき、この状態で床板を取り付けることで、断熱材との隙間を無くして取り付けることができる。
【００１６】
本発明の請求項５記載の断熱材固定具の取付方法によれば、前記請求項１〜４のいずれかに記載の断熱材固定具の垂直片を板状断熱材の上隅上面に当てるとともに差込み片を上隅側面に当てた後、そのまま差込み片の先端を軸に回転させて当該差込み片を位置決めして板状断熱材に差し込むようにしたので、固定具の垂直片を上隅上面に当て、差込み片を上隅側面に当ててそのまま差込み片の先端を中心に回転させて差込み片を差し込むことで、断熱材の厚み方向の一定の位置に差し込むことができ、断熱材の厚みに公差があってもその影響を受けることなく、固定具と断熱材上面との寸法を一定にして取り付けることができる。
【図面の簡単な説明】
【００１７】
【図１】本発明の断熱材固定具の一実施の形態にかかり、（ａ）は斜視図、（ｂ）は平面図、（ｃ）は正面図である。
【図２】本発明の断熱材固定具の一実施の形態にかかる軸組への取付工程の説明図である。
【図３】本発明の断熱材固定具の他の一実施の形態にかかり、（ａ）は平面図、（ｂ）は正面図である。
【図４】本発明の断熱材固定具のさらに他の一実施の形態にかかり、（ａ）は平面図、（ｂ）は正面図である。
【図５】本発明の断熱材固定具の取付方法の一実施の形態にかかる工程説明図である。
【図６】従来の断熱材支持金具にかかり、（ａ）は斜視図、（ｂ）は軸組への取付状態の説明図である。
【図７】従来の床断熱構造の受け具にかかり、（ａ）は斜視図、（ｂ）、（ｃ）は厚さの異なる断熱材の軸組への取付状態の説明図である。
【発明を実施するための形態】
【００１８】
以下、本発明を実施するための形態について、図面を参照して詳細を説明する。
この断熱材固定具１０は、軸組５間に板状断熱材６を固定するためのものであり、床断熱のために大引き間や根太間などの軸組５間にスチレンボード、ウレタンボード、グラスウールボード、ロックウールボードなどの板状断熱材６を固定するもので、金属板製や合成樹脂製とされる。
【００１９】
この断熱材固定具１０は、例えば軸組である根太５の側面に密着される板状の垂直片１１と、この垂直片１１の下端に延設され板状断熱材６の厚み方向中間に差し込まれる板状の差込み片１２と、垂直片１１の上端に延設され軸組である根太５の上面に載置支持される板状の上部片１３とを備え、例えば金属板材を曲げ加工することで、略Ｚ字状に構成されている。
【００２０】
すなわち、この断熱材固定具１０では、板状断熱材６の下面を支持するのではなく、板状断熱材６の厚み方向中間の側端面に差込み片２を差し込んで支持するようにしている。
このため断熱材固定具１０の差込み片１２の先端が前方に突き出す二等辺三角形状に尖らせて形成してあり、板状断熱材６への差し込みを容易にできるようにしてある。なお、差込み片１２の先端を尖らせる形状は、二等辺三角形状に限らず、斜めに切り落とすなど他の形状であっても良い。
そして、この断熱材固定具１０は、例えば垂直片１１と差込み片１２のなす角度、垂直片１１と上部片１３のなす角度がそれぞれ直角とされて略Ｚ字状としてある。
【００２１】
また、差込み片１２には、三角形の２辺の切込みを形成して底辺から下方に折り起こした突出片１４が形成してあり、差込み方向に対して鋭角として差し込み易く抜け難くしてある。
【００２２】
軸組５に支持する上部片１３は、この断熱材固定具１０では、上部片１３の一端のみに垂直片１１が延設して構成されている。
この断熱材固定具１０では、板状断熱材６に差込み片１２を差し込んで使用することから、これまでの断熱支持金具や受け具のように略コ字形状として予め軸組である根太５などを跨ぐように取り付けて使用することはできず、板状断熱材６に先に断熱材固定具１０を差し込んだ状態とし、その後軸組５に取り付けて使用される。
【００２３】
このように構成した断熱材固定具１０は、図２に示すように、軸組５への取り付けに際しては、まず、板状断熱材６の側端面の厚み方向中間に差込み片１２を差し込む。
【００２４】
この断熱材固定具１０の差し込みは、上部片１３の上面から板状断熱材６の上面が僅かに突き出すように、上部片１３を板状断熱材６より低く取り付ける。
これにより、軸組５に上部片１３を載せ置いた状態とすると、軸組５の上面より板状断熱材６が出っ張った状態となり、次工程での床板１５の取り付けの際、床板１５で板状断熱材６が押込まれ、強く密着させることができ、隙間の発生を防止することができる。
【００２５】
また、この断熱材固定具１０では、板状断熱材６の上面を基準に差込み片１２の差込み位置を定めて板状断熱材６に取り付ければ良く、板状断熱材６の厚みに公差があったり、図２中に示すように、板状断熱材６の厚みが異なる薄い板状断熱材６Ａや厚い板状断熱材６Ｂであっても１種類の断熱材固定具１０を使用して板状断熱材６を上部片１３より僅かに突き出す所定の状態に取り付けることができる。
【００２６】
こうして板状断熱材６の幅方向両側にそれぞれ断熱材固定具１０を差し込んで取り付けた後、軸組５の間に板状断熱材６を落とし込むように装着し、上部片１３を軸組５の上面に載置することで、断熱材固定具１０を介して板状断熱材６が支持される。
この断熱材固定具１０では、断熱材固定具１０の軸組５への固定は特に行わず、次工程で床板１５との間に挟みこむことによって固定する。
【００２７】
なお、軸組５への固定のため、図３に示すように、断熱材固定具１０Ａの上部片１３に釘穴１６を形成して釘で固定したり、三角形の２辺の切込みを形成して底辺から下方に折り起こした突出片１７を形成して突出片１７を打ち込んで固定するようにしても良く、一層確実に固定することができる。
なお、釘穴１６と突出片１７はいずれか一方だけ設けて固定するようにしても良い。
【００２８】
このような断熱材固定具１０による板状断熱材６の軸組５間への支持状態では、差込み片１２の全面で荷重を支持することができ、板状断熱材６を安定して固定できるとともに、広い面積で支持することで板状断熱材６が変形し難く、経年変化などで床板１５との間に隙間が発生することを防止できる。
【００２９】
次に、軸組５間に落とし込むようにして断熱材固定具１０で支持された板状断熱材６の上に床板１５が載せられ、軸組５の表面から突き出している板状断熱材６を押込むようにして床板１５に強く密着した状態で床板１５を軸組５に固定する。
なお、ここでの床板１５は、床の表面を構成するものに限らず、床下地板であっても良い。
【００３０】
また、板状断熱材６と床板１５との密着力を増大するため、図４に示すように、断熱材固定具１０Ｂの垂直部１１に対して上部片１３を直角でなく鋭角に形成して略Ｚ字状に構成したものであっても良く、断熱材固定具１０Ｂの上部片１３を軸組５の上面に載せ置くことで、上部片１３の長さと鋭角θの余弦（ｃｏｓθ）分だけ断熱材固定具１０Ｂごと板状断熱材６の上面がより出っ張ることになり、その分だけ床板１５に強く密着させることができる。
【００３１】
次に、本発明の断熱材固定具の取付方法の一実施の形態について、図５に示す工程図により説明する。
この取付方法に用いることが好ましい断熱材固定具１０は、図１に示すように、垂直片１１の長さをＬ１とし、差込み片１２の長さをＬ２とした場合に、垂直片１１の長さＬ１を差込み片１２の長さｌ２より短く形成したものである。
【００３２】
このような断熱材固定具１０を用いる板状断熱材６への取付方法は、断熱材固定具１０の垂直片１１を板状断熱材６の上隅上面に当てるとともに、差込み片１２を上隅側面に当てた状態とする（図５（ａ）参照）。
【００３３】
この後、そのまま差込み片１２の先端を軸に断熱材固定具１０を外側（図示例の左端上隅部では、反時計回り）に回転させて差込み片１２を板状断熱材６の側端面に垂直にする（図５（ｂ）参照）。
【００３４】
最後に、差込み片１２を押込んで板状断熱材６の側端面に垂直片１１を当てるように差し込む（図５（ｃ）参照）。
【００３５】
この断熱材固定具１０の板状断熱材６への取付状態では、図５（ｄ）に示すように、差込み片１２の板状断熱材６の上面からの位置はＬ２であるのに対し、垂直片１１の上面は差込み片１２の上面からＬ１の位置であることから、上部片１３は板状断熱材６の上面からＬ２−Ｌ１の長さの差ΔＬ分だけ低くなり、その結果、板状断熱材１０は上部片１３からＬ２−Ｌ１の長さの差ΔＬ分だけ突き出した状態にすることができる。
【００３６】
したがって、この断熱材固定具１０では、垂直片１１の長さＬ１と差込み片１２の長さＬ２が定規としての機能をなし、断熱材固定具１０の垂直片１１を板状断熱材６の上隅上面に当て、差込み片１２を上隅側面に当ててそのまま差込み片１２の先端を中心に回転させて差込み片１２を差し込むことで、板状断熱材６の厚み方向の一定の位置に差し込むことができ、断熱材固定具１０の取付位置を墨出しすることなく、板状断熱材６の上面から一定の位置であるΔＬ分だけ低く、簡単に取り付けることができる。
【００３７】
なお、断熱材固定具１０の垂直片１１の長さＬ１と差込み片１２の長さＬ２を考慮しない断熱材固定具１０の場合には、板状断熱材６のカット時または施工前に差込み位置に筋を付けるなどの目印を付けて差し込み位置を表示するようにしても良い。
【００３８】
また、断熱材固定具１０の垂直片１１の長さＬ１と差込み片１２の長さＬ２を考慮しない断熱材固定具１０の場合であっても、垂直片１１の長さを定規として機能させ、板状断熱材６の上隅上面に上部片１３を当てるとともに、垂直片１１を上隅側面に当てて差込み片１２が上隅側面から垂直に突き出すように当て、差込み片１２の下端面を基準とする。そして、この基準に筋を付けたり、指で押えるなどし、この基準より所定量下方に、板状断熱材６に当てていた断熱材固定具１０、あるいは別の断熱材固定具１０の差込み片１２を差し込むようにすれば、板状断熱材６の上面から下方の所定の位置に上部片１３を位置決めして簡単に断熱材固定具１０を取り付けることができる。
【００３９】
このような断熱材固定具およびその取付方法によれば、軸組５の間に板状断熱材６を固定する場合において、板状断熱材６に断熱材固定具１０を差し込んで取り付けることで、厚みの異なる板状断熱材６に対し、１種類の断熱材固定具１０が共通して使用できる。
これにより、断熱材固定具１０の加工のための金型の必要個数を削減したり、在庫管理が容易となるとともに、流通在庫を大幅に削減できる。
断熱材固定具１０の上部片１３を板状断熱材６の上面より低く取り付けることが簡単にでき、板状断熱材６が軸組５より出っ張ることで、床板１５に強く密着させることができ、設計通りの断熱性能が確保できる。
板状断熱材６を軸組５の間に落としこんで取り付けた場合でも軸組５の上面の上部片１３を持って簡単に取り出したり、移動することができ、軸組５への取付位置の修正が簡単にできる。
断熱材固定具１０を板状断熱材６に差し込む際、断熱材固定具１０の垂直片１１の長さＬ１と差込み片１２の長さＬ２にＬ２＞Ｌ１の関係として長さの差ΔＬを形成することで定規として機能させることができ、断熱材固定具１０を板状断熱材６に当てることで、差込み位置を位置決めでき、墨出しをすることなく簡単に取り付けできる。
断熱材固定具１０は、上部片１３を軸組５と床板１５との間に挟みこむことで固定でき、固定爪や釘などを使用せずに固定することができる。
断熱材固定具１０が板状断熱材６を貫通せず厚み方向中間までであり、断熱材固定具１０によるヒートブリッジ（熱橋）の発生を抑えることができ、優れた断熱性能を確保できる。
断熱材固定具１０が略Ｚ字状に構成してあるので、形状が単純で重ね易く、保管や運搬を効率的に行うことができる。
【符号の説明】
【００４０】
５      軸組
６      板状断熱材
６Ａ    厚い板状断熱材
６Ｂ    薄い板状断熱材
１０    断熱材固定具
１０Ａ  断熱材固定具
１０Ｂ  断熱材固定具
１１    垂直片
１２    差込み片
１３    上部片
１４    突出片
１５    床板
１６    釘穴
１７    突出片
Ｌ１    垂直片の長さ
Ｌ２    差込み片の長さ
ΔＬ    Ｌ２−Ｌ１
θ      垂直片と上部片のなす角度
【図１】
2014005588.tif 000003
【図２】
2014005588.tif 000004
【図３】
2014005588.tif 000005
【図４】
2014005588.tif 000006
【図５】
2014005588.tif 000007
【図６】
2014005588.tif 000008
【図７】
2014005588.tif 000009